(57)【要約】【課題】本空気調和機の室内機は、ワイヤガードを吹出口に着脱可能に装着される複数枚の縦グリルを備えた縦グリル組立に取付け可能にして、吹出口にワイヤガードが必要な機種と不必要な機種の作り分けを容易にし、製造性の向上を図った空気調和機の室内機を提供する。【解決手段】本空気調和機の室内機は、室内熱交換器３と、送風機４を室内機本体２に収納してなる空気調和機の室内機において、室内機本体１に設けられた吹出口１ａに複数枚の縦グリルとワイヤガード７を備えた縦グリル組立６が着脱可能に装着される。【選択図】  図３
2004347136.tif 000002
【特許請求の範囲】
【請求項１】
室内熱交換器と、この熱交換器に送風する送風機を室内機本体に収納してなる空気調和機の室内機において、室内機本体に設けられた吹出口に複数枚の縦グリルとワイヤガードを備えた縦グリル組立が着脱可能に装着されることを特徴とする空気調和機の室内機。
【請求項２】
請求項１に記載の空気調和機の室内機において、前記縦グリルに備えられたワイヤガード及び支持部材からなる縦グリル組立が室内機本体の吹出口に形成するノーズに取付けられることを特徴とする空気調和機の室内機。
【請求項３】
請求項２に記載の空気調和機の室内機において、前記ワイヤガードを備えた縦グリル組立は、吹出口の長手方向に各々独立して複数個取付けられることを特徴とする空気調和機の室内機。
【請求項４】
請求項２または３に記載の空気調和機の室内機において、前記支持部材の縦グリル支持部に設けられた取付面部を前記ノーズの取付凹部に収容して、前記取付面部が前記ノーズの取付面と同一面になるように、前記縦グリル組立が前記ノーズに取付けられることを特徴とする空気調和機の室内機。
【請求項５】
請求項２ないし４のいずれか１項に記載の空気調和機の室内機において、前記支持部材に設けられワイヤガードを支持するワイヤガード支持部の端部に設けられた係止部は、室内機本体のノーズに対向する内壁面に設けられた係合部に係合されることを特徴とする空気調和機の室内機。
【発明の詳細な説明】
【０００１】
【発明の属する技術分野】
本発明は空気調和機の室内機に係わり、特に吹出口に縦グリルを着脱可能に装着する空気調和機の室内機に関する。
【０００２】
【従来の技術】
従来の空気調和機の室内機において、吹出口に設けられるワイヤガードは、吹出口全長より長いワイヤを用い、室内機本体の吹出口側面に設けられた取付孔に水平方向に挿入して取付けを行っているため、挿入の作業性が悪く作業時間を要していた。また、一度ワイヤを挿入するとワイヤ不使用機種に転用することができず、製品歩留の低下になり、あるいは生産調整等に対応できない等の不都合があった。
【０００３】
さらに、吹出口に設けられるワイヤガードは、吹出口全長より長いワイヤを用い、室内機本体の吹出口側面に設けられた取付孔に水平方向に挿入して取付けを行っている。このため、支持点が両端のみであるため吹出口の外側から力が加えられた場合のワイヤガードの強度を確保するために、ワイヤの直径を大きくするか、あるいはワイヤピッチを小さくして密にワイヤを設ける必要があった。
【０００４】
このため、吹出口の面積が減少し、送風抵抗が増大し、送風性能が低下する問題があった（例えば特許文献１など）。
【０００５】
【特許文献１】
特開平１０−２０５８０８号公報（明細書段落番号［０００２］、［０００６］、図２、図４）
【０００６】
【発明が解決しようとする課題】
本発明は上述した事情を考慮してなされたもので、ワイヤガードを吹出口に着脱可能に装着される縦グリル組立に取付けることで、ワイヤガードが必要な機種と不必要な機種の作り分けを容易にし、製造性の向上を図ることができ、また、ワイヤガードの強度を確保しつつ送風性能を向上させることができる空気調和機の室内機を提供することを目的とする。
【０００７】
【課題を解決するための手段】
上記目的を達成するため、本発明の１つの態様によれば、室内熱交換器と、この熱交換器に送風する送風機を室内機本体に収納してなる空気調和機の室内機において、室内機本体に設けられた吹出口に複数枚の縦グリルとワイヤガードを備えた縦グリル組立が着脱可能に装着されることを特徴とする空気調和機の室内機が提供される。これにより、吹出口にワイヤガードが必要な機種と不必要な機種の作り分けを容易にし、製造性の向上を図った空気調和機の室内機が実現される。
【０００８】
【発明の実施の形態】
以下、本発明に係わる空気調和機の室内機の第１実施形態について添付図面を参照して説明する。
【０００９】
図１及び図２に示すように、本発明に係る空気調和機の室内機は、下部に空気の吹出口１ａが設けられた室内機本体１と、この室内機本体１前面に開閉自在に設けられた前面パネル２を有し、上記室内機本体１には、室内熱交換器３と、この熱交換器３に送風する送風機４、この送風機４等の制御に必要な電気部品５、および、室内熱交換器３の空気流上流側に配置された空気清浄器１１などが収納されている。
【００１０】
また吹出口１ａには、この吹出口１ａを開閉および送風方向を上下に偏向させる上下風向板１０と、この上下風向板１０の奥に、左右方向に風向を調整する詳細を後述する縦グリル組立６が設けられている。
【００１１】
なお、図２中、符号９は、吹出口１ａの上周部を形成する送風機のノーズ９である。
【００１２】
図３に示すように、上記縦グリル組立６は、左右方向に配列された複数枚のグリル板６ａと、吹出口１ａから本体１内部へ手などが侵入されるのを防ぐワイヤガード７と、このグリル板６ａとワイヤガード７が取付けられる支持部材８とからなっている。
【００１３】
上記支持部材８は、合成樹脂材料の成形品で構成し、吹出口１ａのノーズ９に対向して左右方向に延出する枠状の縦グリル支持部８ａと、この縦グリル支持部８ａの左右端から垂直方向に延出し支持部材８の左右に形成する側面視円弧状を成したワイヤガード支持部８ｃとから構成している。上記縦グリル支持部８ａには、夫々のグリル板６ａを回動可能に支持するためのグリル支持軸係合孔８ｂが左右方向に所定間隔で形成している。また、左右のワイヤガード支持部８ｃには、それぞれのワイヤガード７の左右端７ａ、７ａが挿入されるワイヤガード取付孔８ｄが所定間隔で形成している。
【００１４】
なお、この支持部材８の縦グリル支持部８ａ上面側と吹出口１ａのノーズ９下面側との接合面には、上記ノーズ９下面に縦グリル支持部８ａが着脱可能に装着できるようにそれぞれ係合部（図示せず）が形成している。
【００１５】
上記グリル板６ａは、合成樹脂製であり、それぞれ略半円形状をなし、その表面に夫々のワイヤガード７が挿通されるこのワイヤガード７の外径より大きめのワイヤ貫通孔６ａ１が所定間隔で形成している。
【００１６】
この各グリル板６ａの上部には、上記支持部材８の縦グリル支持部８ａに設けられたグリル支持軸係合孔８ｂに嵌合してこのグリル板６ａを左右方向に回動させるためのグリル支持軸６ｂが形成するとともに、各グリル板６ａを連結して連動操作するための可撓性を有する連結片部６ｃが形成し、この連結片部６ｃに各グリル板６ａを一定間隔で連結するグリル操作杆６ｄが一体に取付けられている。これにより、使用者がグリル操作杆６ｄに形成するつまみを指先で左右に動かすことにより、水平方向において、各グリル板６ａを所定の範囲内で左右方向任意の角度に連動して変更することができる。
【００１７】
また、縦グリル組立６に取付けられるワイヤガード７は、針金製であり、各グリル板６ａの水平方向に対向する夫々のワイヤ貫通孔６ａ１を貫通し、その両端７ａが支持部材８の左右ワイヤガード支持部８ｃに設けられたワイヤガード取付孔８ｄに挿入し裏面側で固定して左右のワイヤ支持部８ｃに支持されている。
【００１８】
図４及び図５に示すように、支持部材８にグリル板６ａとワイヤガード７を取付けた縦グリル組立６は、吹出口１ａの上周部を形成するノーズ９に着脱可能に取付け、また、図６に示すように、支持部材８の設けられた左右のワイヤガード支持部８ｃの下端部を吹出口１ａの下周部に形成させた係止部（図示せず）に係止させることで、室内機本体１の吹出口１ａの周囲で支え、縦グリル組立６の強度を確保することができる。
【００１９】
図５に示すように縦グリル組立６は、複数個例えば２個を吹出口２ａの長手方向に各々独立して取付けている。これにより、各々のワイヤ長を短くすることが可能となり、ワイヤ挿入の作業性が向上する。
【００２０】
本実施形態の空気調和機の室内機は、上述のように、吹出口に着脱可能に装着される縦グリル組立６にワイヤガード７を取付けた構造を有しているので、支持部材にワイヤガードを取付けたものと取付けないものを構成させることで、ワイヤガード７が必要な機種と不必要な機種の作り分けが容易となり、製造性の向上が図れる。また、縦グリル組立６は支持部材８の縦グリル支持部８ａによって吹出口１ａ上周部を形成するノーズ９に取付けられるため、取付け作業性を大きく向上させることができる。さらに、支持部材８左右のワイヤガード支持部８ｃの下端部を吹出口１ａの下周部に係止することにより強度が保て、吹出口２ａの外側方向から押された場合でも縦グリル組立６が不用意に外れたり、あるいは変形することがない。ワイヤガード７を備えた縦グリル組立６は、吹出口２ａの長手方向に各々独立して複数個取付けられているので、各々のワイヤ長を短くすることが可能となり、ワイヤ挿入の作業性が向上する。
【００２１】
次に本発明に係わる空気調和機の室内機の縦グリル組立の吹出口への取付構造の詳細について説明する。
【００２２】
支持部材の縦グリル支持部をノーズに着脱自在に取付けるには、ノーズに取付凹部を設け、これに縦グリル支持部の取付面部を収容して、この取付面部がノーズの取付面と同一面になるように縦グリル組立をノーズに取付けるように構成する。
【００２３】
例えば、図７に示すように、下部に空気の吹出口１ａが設けられた室内機本体１を有し、吹出口１ａには、縦グリル組立６が設けられている。
【００２４】
図５に示すものと同様に、この縦グリル組立６は、同一形状のものが複数、例えば２個設けられ、図８に示すように、各縦グリル組立６は、多数のグリル板６ａおよび多数のワイヤガード７と、グリル板６ａとワイヤガード７が取付けられる支持部材８で構成されている。
【００２５】
さらに、グリル板６ａは、図８および図９に示すように、グリル支持軸６ｂの先端部に設けられた係合端部６ｂ１が、支持部材８の縦グリル支持部８ａに段部８ｅを有して突出する取付面部８ｆに回動自在に設けられた係合孔８ｆ１に弾性的に係合して、支持部材８に取付けられている。
【００２６】
この支持部材８は、その両側にワイヤガード支持部８ｃが設けられており、また、取付面部８ｆには係合孔８ｆ１が設けられ、さらに、取付面部８ｆには、縦グリル組立６をノーズ９に取付けるための一対の係止片からなる係止突部８ｆ２が２個設けられている。また、グリル操作杆６ｄに一体に取付けられた複数のグリル板６ａは、グリル支持軸６ｂの先端部に設けられた係合端部６ｂ１が、支持部材８の取付面部８ｆに設けられた係合孔８ｆ１に弾性的に係合して、支持部材８に取付けられている。
【００２７】
ワイヤガード７は、その両端部７ａが、ワイヤガード支持部８ｃの取付孔８ｃ１に挿入、固定されてワイヤガード支持部８ｃに支持されている。
【００２８】
図９および図１０に示すように、ノーズ９には、取付凹部９ａが設けられて、さらに、この取付凹部９ａには、係止突部８ｆ２が係合する取付孔９ａ１、および係合端部６ｂ１が挿入される挿入孔９ａ２が設けられており、縦グリル組立６は、支持部材８の取付面部８ｆをノーズ９の取付凹部９ａに収容し、係止突部８ｆ２を取付孔９ａ１に弾性係合させて、取付面部８ｆがノーズ９の取付面と同一面になるように、ノーズ９に取付けられている。
【００２９】
また、図７および図８に示すように、ワイヤガード７を支持するワイヤガード支持部８ｃの端部に設けられた係合部を構成する係止部８ｃ２は、ノーズ９に対向する室内機本体１の内壁面に設けられた係合部を構成する取付係合孔１ｂに係合されている。これにより、縦グリル組立が強固に固定され、吹出口の外側からワイヤガードが使用者の指で押されても、ワイヤガードが動くことがなく、指が送風機に触れることがなく、安全である。他の構成は図２に示す空気調和機の室内機と異ならないので、同一符号を付して説明は省略する。
【００３０】
本発明の空気調和機の室内機は、上述のようにグリル組立が複数の縦グリル組立から構成されているので、ワイヤを短く分割することが可能となり、比較的細いワイヤであっても、変形し難く使用者の安全が図れ、また、比較的細いワイヤの使用が可能となり、さらに、ワイヤピッチを小さくして密にワイヤを設け縦グリル組立の強度を増す必要がなく、通風抵抗を低減させて送風性能を向上させることができる。また、支持部材の取付面部がノーズの取付面と同一面になるように、ノーズに取付けられているので、通風抵抗を低減して送風性能を向上させることができる。
【００３１】
なお、上記実施形態では、ユニット支持部材に段部を設けて取付面部を突出させ、この突出した取付面部をノーズの取付凹部に収容して、グリル支持部がノーズの取付面と同一面になるようにしたが、段部を設けず平板状のユニット支持部材の縦グリル支持部全体を取付面部とし、この取付面部全体が収容されるように形成された取付凹部に収容して、取付凹部がノーズの取付面と同一面になるようにしてもよい。
【００３２】
【発明の効果】
本発明に係わる空気調和機の空内機によれば、吹出口に着脱可能に装着される縦グリル組立にワイヤガードを取付ける構造とすることで、ワイヤガードが必要な機種と不必要な機種の作り分けを容易にし、製造性の向上を図ることができ、また、ワイヤガードの強度を確保しつつ送風性能を向上させることができる空気調和機の室内機を提供することができる。
【図面の簡単な説明】
【図１】本発明の空気調和機の室内機の前面パネルを開けた状態の斜視図。
【図２】本発明の空気調和機の室内機の吹出口部分の構成を示す断面図。
【図３】本発明の空気調和機の室内機に装着される縦グリル組立を示す斜視図。
【図４】本発明の空気調和機の室内機に装着される縦グリル組立を吹出口のノーズに取付けた状態を示す斜視図。
【図５】本発明の空気調和機の室内機に装着される複数個の縦グリル組立を吹出口のノーズに取付けた状態を示す斜視図。
【図６】本発明の空気調和機の室内機装着される縦グリル組立を吹出口のノーズに取付けた状態を示す上下風向板を切欠した状態の吹出口部分の斜視図。
【図７】本発明の空気調和機の室内機に用いられる縦グリル組立近傍の断面を示す概念図。
【図８】本発明の空気調和機の室内機に用いられる縦グリル組立の斜視図。
【図９】本発明の空気調和機の室内機に用いられる縦グリル組立を分解して示す斜視図。
【図１０】本発明の空気調和機の室内機に用いられる縦グリル組立の取付け部分の断面図。
【符号の説明】
１…室内機本体、１ａ…吹出口、２…前面パネル、３…室内熱交換器、４…送風機、５…電気部品、６…縦グリル組立、６ａ…グリル板、６ａ１…ワイヤ貫通孔、６ｂ…グリル支持軸、６ｃ…グリル連結片部、６ｄ…グリル操作杆、７…ワイヤガード、７ａ…両端、８…支持部材、８ａ…縦グリル支持部、８ｂ…グリル支持軸係合孔、８ｃ…ワイヤガード支持部、８ｄ…ワイヤガード取付孔、９…ノーズ、１０…上下風向板、１１…空気清浄器。
【図１】
2004347136.tif 000003
【図２】
2004347136.tif 000004
【図３】
2004347136.tif 000005
【図４】
2004347136.tif 000006
【図５】
2004347136.tif 000007
【図６】
2004347136.tif 000008
【図７】
2004347136.tif 000009
【図８】
2004347136.tif 000010
【図９】
2004347136.tif 000011
【図１０】
2004347136.tif 000012